(57)【要約】【課題】軽い力でワンハンドで使用でき、不用意な噴出を避けるとともに、部品数が少なく、廉価でかつ用途を広げたエアゾール容器の噴出容器を提供すること。【解決手段】エアゾール容器と、エアゾール容器に取着された操作キャップと、操作キャップに係合するロック体、および操作キャップ上方に設けた噴射体とからなる噴出容器であって、操作キャップが、外周壁下方と取付部を結合するヒンジ部と、ヒンジ部に対向する外周壁に連設され、ロック体に係合する操作片を具えていることを特徴とする。【選択図】　　　　図１
2004090965.tif 000002
【特許請求の範囲】
【請求項１】
エアゾール容器と、エアゾール容器に取着された操作キャップと、操作キャップに係合するロック体、および操作キャップ上方に設けた噴射体とからなる噴出容器であって、
操作キャップが、外周壁下方と取付部を結合するヒンジ部と、ヒンジ部に対向する外周壁に連設され、ロック体に係合する操作片を具えていることを特徴とする噴出容器。
【請求項２】
ロック体が、操作キャップ取付部に廻動可能に取着され、切欠部を設けた外筒壁を具えており、
操作片が、ロック体の外筒壁の外周上端縁または切欠部に対応するようにしたことを特徴とする請求項１に記載の噴出容器。
【請求項３】
ロック体が、板状壁内周に係止片を突設し、操作キャップの外周壁下方に設けた係止突起に係合していることを特徴とする請求項１〜２記載の噴出容器。
【請求項４】
噴射体は、操作キャップの噴射体装着部に取着され、その上方に突出した櫛体であることを特徴とする請求項１〜３記載の噴出容器。
【発明の詳細な説明】
【０００１】
【発明の属する技術分野】
本発明は、頭髪用品、化粧品、消臭・制汗剤、その他の人体用品、家庭用品、食品等を噴射するエアゾール容器の噴出容器に係わるものである。
【０００２】
【発明が解決しようとする課題】
従来、エアゾール容器の噴出容器は、本体に対して垂直方向に押すものが一般的であり、指自体で直接的に押すものがほとんどであったが、かなりの力を要するので、ワンハンドで使用するのに不便であった。
【０００３】
また、上記した従来のものは、一般的にはエアゾール容器のステムに対して挿入された噴出体を指で押す直圧構造であるので、押圧力を軽くすることができず、使用用途が限られていた。
【０００４】
また更に、上記した従来のものは、不用意な噴出を避けるために、蓋等のカバーを必要としており、部品数が多くなっていた。
【０００５】
本発明は、上記問題を解決することを課題として、軽い力でワンハンドで使用でき、不用意な噴出を避けるとともに、部品数が少なく、廉価でかつ用途を広げたエアゾール容器の噴出容器を提供することを目的とする。
【０００６】
【課題を解決するための手段】
本発明は、上記の課題を解決するため、噴出容器として、エアゾール容器と、エアゾール容器に取着された操作キャップと、操作キャップに係合するロック体、および操作キャップ上方に設けた噴射体とからなる噴出容器であって、操作キャップが、外周壁下方と取付部を結合するヒンジ部と、ヒンジ部に対向する外周壁に連設され、ロック体に係合する操作片を具えていることを特徴とする構成を採用する。
【０００７】
ロック体の具体的な実施態様として、ロック体が、操作キャップ取付部に廻動可能に取着され、切欠部を設けた外筒壁を具えており、操作片が、ロック体の外筒壁の外周上端縁または切欠部に対応するようにしたことを特徴とする構成を採用する。
【０００８】
ロック体の実施例として、ロック体が、板状壁内周に係止片を突設し、操作キャップの外周壁下方に設けた係止突起に係合していることを特徴とする構成を採用する。
【０００９】
噴射体の実施例として、噴射体は、操作キャップの噴射体装着部に取着され、その上方に突出した櫛体であることを特徴とする構成を採用する。
【００１０】
【発明の実施の形態】
以下、本発明の実施形態について図面を参照して説明する。
図１〜３に示すように、本発明の噴出容器は、エアゾール容器１と操作キャップ２、およびロック体３、噴射体４とから構成されている。
【００１１】
操作キャップ２は、エアゾール容器１の傾斜式ステム５に嵌合し上方に噴射口６を設けた噴射筒７と、噴射筒７の外側に設けた筒状の外周壁８と、噴射筒７と外周壁８の上方に配設した噴射体装着部９、およびエアゾール容器１の巻締部に取着された円形の取付部１０とから構成されている。
【００１２】
噴射体装着部９は、ほぼ角形の台板１１と、該台板１１の各周縁に立設された周壁１２，１３を具えている。
台板１１は、噴射筒７の上端に連設され、中央部を円形の突出部１４とし、外周壁８の外形に相当する巾を有する短辺と、外周壁８より突出し、所定長さを有する長辺とを有している。
台板１１のの長辺側には前記周壁１２が、短辺側には前記周壁１３が立設されている。
【００１３】
円形の取付部１０と筒状の外周壁８の下端は、ヒンジ部１５で結合されている。
ヒンジ部１５に対向する外周壁８の中間部には、操作片１６が設けられており、操作キャップ２は、操作片１６を押圧操作とすることによって、ヒンジ部１５を中心に揺動可能となっている。
【００１４】
操作片１６は、水平部と下方に延びる傾斜部１６ａとを有しており、傾斜部１６ａはロック体３に係合し、後述するようロック体３の位置によって操作キャップ２の揺動が制限される。
操作片１６側の外周壁８下方には、ロック体３の内周に係合する係止突起１７が突設されている。
【００１５】
ロック体３は、図２，５に示すように、馬蹄形状の板状壁１８と板状壁１８から垂設された内筒壁１９と中筒壁２０並びに外筒壁２１とから構成されている。
板状壁１８の内周には、一定範囲にわたって内筒壁１９より内方に突出する係止片２２が突設されており、該係止片２２は、操作キャップ２の外周壁８に摺接するとともに係止突起１７と係合し、外周壁８の妄動を阻止するようにしている。
【００１６】
内筒壁１９は、操作キャップ２の円形の取付部１０の上面に摺接し、中筒壁２０は取付部１０の外周に摺接廻動されるようになっており、ロック体３は取付部１０にスムースに廻動されるよう装着されている。
外筒壁２１は、操作片１６に係合し、操作キャップ２の下方への揺動を制限するようになっている。
【００１７】
板状壁１８と外筒壁２１の一部分が切除され、切欠部２３が設けられており、該切欠部２３では操作キャップ２の操作片１６が下方に揺動可能となっている。
【００１８】
噴射体４は、基台２４と塗布部２５とからなり、基台２４は、中央に噴射通路２６を有する角形の板状体２７と、板状体２７の長辺側の端縁に垂設され、噴射体装着部９の周壁１２の内周に嵌合する壁板２８と、板状体２７の短辺側の周壁に垂設され、周壁１３に嵌合する壁板２９、および噴射口６を囲むようにして長手方向に延びる隔板３０とを具えている。
板状体２７上方に前記塗布部２５が設けられており、塗布部２５は板状体２７上方に突出した櫛体３１となっている。
【００１９】
次に、本噴出容器の作用効果について説明する。
本噴出容器は、ロック体３を、操作キャップ２に対してロック位置とロック解除位置に廻動させて位置決めし、操作片１６の揺動操作を規制するようにしたものである。
【００２０】
ロック体３を廻動させて、図５（ｂ）に示すように、切欠部２３と操作片１６が対応するよう位置させ、操作片１６を指で押すと、図４に示すように、操作キャップ２の外周壁８はヒンジ部１５を基点として可動され、噴射筒７を下方に傾倒するので、ステム５が傾倒され、エアゾール容器１から内容物が噴出される。
操作片１６を長くすると操作片１６がヒンジ部１５を中心として廻動し、テコの原理が作用し、軽い力でステム５の傾倒、噴出が可能となる。
【００２１】
また、ロック体３を廻動させ、図５（ａ）に示すように、操作片１６と外筒壁２１が対応するよう位置させると、操作キャップ２の操作片１６は、図１に示すように、下側に屈曲しているので、ロック体３の外筒壁２１の上方角部に当接され、下方への揺動が阻止される。
【００２２】
また、操作キャップ２の外周壁８に設けた係止突起１７は、常時ロック体３の係止片２２に当接し、操作キャップ２の上方への移動が阻止されている。
したがって、操作キャップ２は、図１に示すように、ロック体３により完全に上下方向の揺動が阻止され、カバーキャップを必要としない。
【００２３】
前記実施形態では、エアゾール容器のステムを傾斜式としたが、押下げ式ステムとしてもよい。
また、前記実施形態では、塗布部を櫛体としているが、これに限定されるものでなく、従来からあるノズル、スポンジ、刷毛、ボール等、任意のものを選択することができ、それに応じ塗布部装着部の形状を変更することができる。
【００２４】
【発明の効果】
本発明は、上記のように構成されているから、次の効果を奏する。
主要な構成が、エアゾール容器、操作キャップ、ロック体、噴射体から構成されているので、省パーツでコストが廉価にできる。
【００２５】
さらに、操作キャップがヒンジ部を中心に廻動され、屈曲された操作片を指で押すと、押下げ操作がテコの原理を応用しているので、小さい力で操作片を押すことで、ワンハンドでの使用が可能となった。
【００２６】
さらに、操作キャップの揺動は、ロック体により完全に阻止され、みだりに内溶液が吐出されることがなくなった。
【図面の簡単な説明】
【図１】本発明の実施形態に係る噴出容器の縦断正面図である。
【図２】噴出容器の縦断側面図である。
【図３】噴出容器の平面図である。
【図４】操作キャップのロックが解除されている状態の縦断正面図である。
【図５】ロック体の作動説明図で、（ａ）は操作キャップのロックが施錠されている状態、（ｂ）は操作キャップのロックが解除されている状態をしめす図である。
【符号の説明】
１　　　エアゾール容器
２　　　操作キャップ
３　　　ロック体
４　　　噴射体
５　　　ステム
６　　　噴射口
７　　　噴射筒
８　　　外周壁
９　　　噴射体装着部
１０　　取付部
１１　　台板
１２、１３　周壁
１４　　突出部
１５　　ヒンジ部
１６　　操作片
１６ａ　傾斜部
１７　　係止突起
１８　　板状壁
１９　　内筒壁
２０　　中筒壁
２１　　外筒壁
２２　　係止片
２３　　切欠部
２４　　基台
２５　　基台
２６　　噴射通路
２７　　板状体
２８、２９　壁板
３０　　隔板
３１　　櫛
【図１】
2004090965.tif 000003
【図２】
2004090965.tif 000004
【図３】
2004090965.tif 000005
【図４】
2004090965.tif 000006
【図５】
2004090965.tif 000007